(57)【要約】【課題】一連のキー操作に対応した処理を自動で実行することで、使い勝手の良いＡＶ機器を提供することである。【解決手段】入力操作にしたがって制御する制御部２７を備えたＨＤＤ一体型光ディスク装置（ＡＶ機器）１０において、制御部２７は、特殊キーの操作又は複数のキーの所定操作があった場合、外部記憶装置１２からキー操作の順序が記載されたキーファイル１２ａを読み出し、該順序にしたがってキー処理する構成とする。【選択図】図１
2012060272.tif 000002
【特許請求の範囲】
【請求項１】
入力操作にしたがって制御する制御部を備えたＡＶ機器において、
前記制御部は、所定の入力操作があった場合、キー操作の順序が記載されたキーファイルを読み出し、該順序にしたがってキー処理することを特徴とするＡＶ機器。
【請求項２】
前記所定の入力操作は、特殊キーの操作又は複数のキーの所定操作であることを特徴とする請求項１記載のＡＶ機器。
【請求項３】
前記順序にしたがってキー処理することを繰り返すことを特徴とする請求項１又は２記載のＡＶ機器。
【請求項４】
前記キーファイルは、外部接続された外部記憶装置に記憶されていることを特徴とする請求項１〜３の何れかに記載のＡＶ機器。
【請求項５】
前記所定の入力操作があった場合、他のキー操作を無効とすることを特徴とする請求項１〜４の何れかに記載のＡＶ機器。
【請求項６】
再度、前記所定の入力操作があった場合、他のキー操作を有効とすることを特徴とする請求項５記載のＡＶ機器。
【請求項７】
前記キーファイルに記載されたキー操作の順序がデバッグ用の動作であることを特徴とする請求項１〜６の何れかに記載のＡＶ機器。
【請求項８】
前記キーファイルに記載されたキー操作の順序がデモンストレーション用の動作であることを特徴とする請求項１〜６の何れかに記載のＡＶ機器。
【発明の詳細な説明】
【技術分野】
【０００１】
本発明は、ＡＶ（Audio Visual）機器に関する。
【背景技術】
【０００２】
ＡＶ機器としてＣＤ、ビデオカセット、ＤＶＤ、ＢＤ（Blu-ray Disc）、ハードディスクなどを記録媒体とする再生機や記録再生機、テレビジョン受像機などが普及している。さらに、最近のＡＶ機器にはＵＳＢメモリやメモリカード等の外部記憶装置を接続できるものもある。そして、接続された外部記憶装置の利用法は様々である。
【０００３】
例えば、特許文献１には、リモコンの操作キーを使用してＵＳＢを選択することで、ＵＳＢメモリからの画像データの読み込みを行う表示装置が開示されている。
【０００４】
また、特許文献２には、起動時にキーボード上の特定のキーが押された場合にはメンテナンスモードに入ることが記載されている。そして、起動モードがメンテナンスモードである場合、ＣＰＵはメンテナンスプログラムをフレキシブルディスク、ＵＳＢメモリといった外部記憶装置からメモリへロードし、メンテナンスプログラムの正当性を検証するための検証処理を実行する。メンテナンスプログラムの正当性が確認された場合、メンテナンスプログラムを実行する。
【０００５】
また、特許文献３には、外部メモリを装着するだけで、ユーザが操作しなくても特定のファイルを自動的に外部メモリから読み出して動作を実行し、ファイルの生成が容易で、動作の順序も修正することができる情報処理装置が開示されている。
【０００６】
また、特許文献４には、チャンネル番号や外部入力端子などを表す、入力映像信号に関する情報だけでなく、記録する外部メモリなどのメディアの残容量や記録状態などの状態情報を、ユーザがリモコン装置によるダイレクト操作によって確認できる映像表示装置が開示されている。
【０００７】
また、特許文献５には、複数の表示データを格納した着脱自在なメモリ読出装置を装着する装着部と、特定のキーを含む、像形成に関する情報を入力するための複数のキー入力手段と、上記キー入力手段から入力された情報及び上記メモリ読出装置に格納された表示データを表示する表示手段と、上記キー入力手段及び表示手段を制御する制御手段と、を有する画像形成装置における表示制御方法において、通常動作モードが設定されている状態では、上記制御手段は、上記キー入力手段からの入力に応じた表示データを選択して上記表示手段に情報を表示し、上記装着部に上記メモリ読出装置が装着されていることを条件に実行可能な特定モードが設定されている状態では、上記制御手段は、上記特定のキーからのキー入力情報がある毎に、上記表示手段に表示される上記特定モードに関連した表示データの選択に関与することなく、上記特定のキーからのキー入力情報を上記メモリ読出装置に転送し、上記メモリ読出装置は転送されたキー入力情報に応じて、上記メモリ読出装置自身に格納されている表示データを選択し、選択した表示データを上記制御手段に転送し、上記制御手段は、転送された表示データを上記表示手段に表示させることを特徴とする表示制御方法が開示されている。
【先行技術文献】
【特許文献】
【０００８】
【特許文献１】特開２０１０−４９３１７号公報（段落００３９、図２）
【特許文献２】特開２０１０−９４５４号公報（段落００６７、００６８、図８）
【特許文献３】特開２００６−１１８０７号公報
【特許文献４】特開２００５−１９７９５４号公報
【特許文献５】特許第２５１７６０８号公報
【発明の概要】
【発明が解決しようとする課題】
【０００９】
ところで、研究開発時のデバッグなどにおいて、決められた一連の動作を実行することがある。この一連の動作は、例えばリモコン装置の一連のキー操作に対応している。そして、この一連の動作が長くなる場合、自動処理できることが望ましい。しかしながら、上記特許文献１〜５では一連のキー操作に対応した処理を自動で実行することについては開示も示唆もされていない。
【００１０】
本発明は、一連のキー操作に対応した処理を自動で実行することで、使い勝手の良いＡＶ機器を提供することを目的とする。
【課題を解決するための手段】
【００１１】
上記目的を達成するために本発明は、入力操作にしたがって制御する制御部を備えたＡＶ機器において、前記制御部は、所定の入力操作があった場合、キー操作の順序が記載されたキーファイルを読み出し、該順序にしたがってキー処理することを特徴とする。
【００１２】
上記のＡＶ機器において、前記所定の入力操作は、特殊キーの操作又は複数のキーの所定操作であることが好ましい。
【００１３】
また上記のＡＶ機器において、前記順序にしたがってキー処理することを繰り返すこととしてもよい。
【００１４】
また上記のＡＶ機器において、前記キーファイルは、外部接続された外部記憶装置に記憶されていることが好ましい。
【００１５】
また上記のＡＶ機器において、前記所定の入力操作があった場合、他のキー操作を無効とすることが好ましい。この場合、再度、前記所定の入力操作があった場合、他のキー操作を有効とするとよい。
【００１６】
また上記のＡＶ機器において、例えば、前記キーファイルに記載されたキー操作の順序はデバッグ用の動作である。
【００１７】
また上記のＡＶ機器において、例えば、前記キーファイルに記載されたキー操作の順序はデモンストレーション用の動作である。
【発明の効果】
【００１８】
本発明によると、所定の入力操作があった場合、キーファイルにしたがってキー処理することにより、その都度一連のキー操作をする手間を省くことができ使い勝手が良い。
【００１９】
また、キーファイルの格納場所として外部記憶装置を用いることで、キーファイルの内容の書き換えを簡単に行うことができる。
【図面の簡単な説明】
【００２０】
【図１】本発明のＨＤＤ一体型光ディスク装置の構成及びその周辺機器を示すブロック図である。
【図２】本発明のＨＤＤ一体型光ディスク装置の動作を示すフローチャートである。
【発明を実施するための形態】
【００２１】
以下、ＡＶ機器の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ＵＳＢメモリやメモリカード等の外部記憶装置１２とが接続されている。表示装置１１及び外部記憶装置１２の接続は有線接続又は無線接続のどちらでもよい。また外部記憶装置１２には、後述するキーファイル１２ａが格納されている。またＨＤＤ一体型光ディスク装置１０は、リモコン１３によって操作可能である。
【００２２】
ＨＤＤ一体型光ディスク装置１０は、アンテナ１５で受信したデジタルテレビ放送信号を復調、デジタル化するチューナ１６と、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、操作部２５と、外部記憶装置１２が接続される外部Ｉ／Ｆ２６と、ＨＤＤ一体型光ディスク装置１０の各部を制御する制御部２７とを備えている。
【００２３】
また、操作部２５は、店頭でのデモンストレーション用のデモモード又は研究開発時のデバッグのデバッグモード又はユーザが行う煩雑な操作を自動で行うユーザモードなどを実行させる特殊キー２５ａと、チャンネル切り換え等に使用する数字キー２５ｂとを有する。なお、リモコン１３にも操作部２５と同様の上記キーが備えられていてもよいし、操作部２５に代えてリモコン１３に上記キーが備えられていてもよい。
【００２４】
また、制御部２７は、所定の入力操作があった場合、キー操作の順序が記載されたキーファイル１２ａを読み出し、該順序にしたがってキー処理する制御も行う。以下に、この制御について詳しく説明する。
【００２５】
図２は、ＨＤＤ一体型光ディスク装置１０の動作を示すフローチャートである。ＨＤＤ一体型光ディスク装置１０が起動している状態において、ステップＳ１０で所定の入力操作があるまで待つ。ここでの所定の入力操作は、特殊キー２５ａの操作又は複数のキーの所定操作である。複数のキーの所定操作としては、例えば、数字キー２５ｂなどの特定のキーを予め決められた順番に操作することや、数字キー２５ｂなどの特定のキーを予め決められた組み合わせで同時に操作することとできる。このように、通常の操作では用いないキーや通常の操作では行わない操作とすることで、誤操作を防止することができる。
【００２６】
ステップＳ１０で所定の入力操作があると、ステップＳ１１へ進んで外部記憶装置１２からキーファイル１２ａを読み出す。キーファイル１２ａであるかどうかは、ファイル名から判断してもよいし、チェックサムを用いてもよい。キーファイル１２ａには、少なくともキー操作の順序と各キー操作の時間とが記載されており、さらに、一連の操作の繰り返し回数等が記載されていてもよい。
【００２７】
キーファイル１２ａの内容は、例えば、トレイオープンキーを押下、押下状態で０．５秒ウェイト、トレイオープンキーを押上、０．５秒ウェイト、トレイクローズキーを押下、押下状態で０．５秒ウェイト、トレイクローズキーを押上、０．５秒ウェイト、再生キーを押下、押下状態で０．５秒ウェイト、再生キーを押上、という順序の操作を１００回繰り返すというものとすることができる。これは、店頭でのデモンストレーション用に使うことができる。また、テレビジョン受像機であれば、店頭でのデモンストレーション用として、高解像度と低解像度とに順次切り替える動作などとしてもよい。
【００２８】
キーファイル１２ａの内容は、また例えば、チャンネルを順に選局するチャンネルアップキーを押下、押下状態で０．５秒ウェイト、チャンネルアップキーを押上、という順序の操作を１万回繰り返すというものとすることができる。これは、研究開発時のデバッグ用に使うことができ、システム全体の耐久性を検証することができる。
【００２９】
キーファイル１２ａの内容は、また例えば、ＨＤＤや光ディスクに録画されている番組を順に数秒ずつイントロ再生する一連の操作や、いくつか下層のフォルダ（ジャンル毎のフォルダ等）に格納されている録画番組を再生する一連の操作などを記載したものであってもよい。これは、本来ユーザが行う煩雑な操作を自動で行うものである。
【００３０】
なお、操作部２５やリモコン１３の仕様が、キーを押下している間中ずっと信号を出力する仕様であれば、上記のように仮想的なキーの押上が必要であるが、キーを押下している間に一度だけ信号を出力する仕様であれば、上記のような仮想的なキーの押上は省略できる。
【００３１】
ステップＳ１１からはステップＳ１２へ進んで他のキー操作を無効とする。つまり、他のキー操作を受け付けない。続いて、ステップＳ１２からステップＳ１３へ進んでキーファイル１２ａに記載された仮想的な操作を実行する。つまり、記載されたキー操作の順序にしたがってキー処理する。その後ステップＳ１４へ進んで、再度同様の所定の入力操作があったか否かを判別する。
【００３２】
ステップＳ１４において再度同様の所定の入力操作があった場合、ステップＳ１５へ進んで他のキー操作を有効とする。つまり、他のキー操作を受け付ける。一方、ステップＳ１４において再度同様の所定の入力操作がない場合、ステップＳ１３に戻り、キーファイル１２ａに記載された一連の操作処理を繰り返す。なお、キーファイル１２ａで一連の操作の繰り返し回数が決められている場合は、その回数が終了した時点で自動的に他のキー操作を有効としてもよい。そうすれば、再度同様の所定の入力操作をしてキー操作の無効を解除する手間が省ける。
【００３３】
なお、ステップＳ１２、Ｓ１４、Ｓ１５は省略してもよい。キー操作を無効にすることが効果的であるのは、デモンストレーション中やデバッグ中であり、キー操作されても処理が中断しないようしたい場合である。したがって、デモンストレーション中又はデバッグ中の場合はステップＳ１２、Ｓ１４、Ｓ１５を有効にし、ユーザが行う操作を自動で行っている場合はステップＳ１２、Ｓ１４、Ｓ１５を無効にすることも考えられる。これによると、ユーザが行う操作を自動で行っている場合は他のキー操作が有効となるので、例えば、イントロ再生中に再生キーが操作された場合、その続きを通常の再生に切り換えて再生するなどの処理が可能となる。
【００３４】
このように、所定の入力操作があった場合、キー操作の順序が記載されたキーファイル１２ａを読み出し、該順序にしたがってキー処理することにより、その都度一連のキー操作をする手間を省くことができ使い勝手が良い。
【００３５】
なお本発明において、キーファイルは複数存在してもよい。その場合、第１の特殊キーに第１のファイルを、第２の特殊キーに第２のファイルを対応させるなどとしたり、特殊キーを押下した後に所望のキーファイルを選択するようにしたりすればよい。また、ファイル番号順に順次処理してもよい。
【００３６】
また本発明において、メニュー設定で、デモモード、デバッグモード、ユーザモードを選択可能としてもよい。これにより、特殊キーの操作など所定の入力操作があった場合、現在選択されているモードに対応したキーファイルを読み出して自動処理することができる。
【００３７】
また本発明において、キーファイル１２ａの格納場所としては、外部記憶装置１２に限らず、ＨＤＤ一体型光ディスク装置１０内部であってもよく、例えば、ＨＤＤやメモリ２３ｄであってもよい。キーファイル１２ａの格納場所として外部記憶装置１２を用いる利点としては、持ち運びが容易になり、外部記憶装置１２をパーソナルコンピュータ等に接続すれば、キーファイル１２ａの内容の書き換えを簡単に行えることが挙げられる。キーファイル１２ａを簡単に書き換えできると、店頭でのデモンストレーション用には店員が書き換えでき、研究開発時のデバッグ用には研究員が書き換えでき、家庭ではユーザが書き換えできる。
【産業上の利用可能性】
【００３８】
本発明は、ＣＤ、ＤＶＤ、ＢＤ等の光ディスクを再生するプレーヤや光ディスクを再生及び光ディスクに記録するレコーダなどの光ディスク装置をはじめ、該光ディスク装置にＨＤＤやビデオカセット等の他の記録媒体の再生機能や記録機能を付加した複合機、テレビジョン受像機、テレビジョン受像機に上記プレーヤやレコーダを付加した複合機など、各種ＡＶ機器に利用することができる。
【符号の説明】
【００３９】
１０  ＨＤＤ一体型光ディスク装置（ＡＶ機器）
１１  表示装置
１２  外部記憶装置
１２ａ  キーファイル
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  操作部
２５ａ  特殊キー
２５ｂ  数字キー
２６  外部Ｉ／Ｆ
２７  制御部
【図１】
2012060272.tif 000003
【図２】
2012060272.tif 000004